(57)【要約】【課題】制御情報を増加させずに、適切なＭＣＳを選択することでスループットを向上させる。【解決手段】ＲＲＣシグナリングによって、ＰＤＣＣＨの情報と参照するＣＱＩテーブルを関連付けておき、ＰＤＣＣＨに関する情報に基づいて参照するＣＱＩテーブルを決定することで、高速に参照するＣＱＩテーブルを選択する。また、制御情報に関する情報は、ＰＤＣＣＨあるいはｅＰＤＣＣＨに含まれる制御情報である。また、制御情報に関する情報は、ＰＤＣＣＨあるいはｅＰＤＣＣＨの探索領域の種類である。【選択図】図７
2019047520.tif 000002
【特許請求の範囲】
【請求項１】
端末装置であって、
基地局装置からＰＤＳＣＨ（Physical Downlink Shared Channel）とＰＤＣＣＨ（Physical Downlink Control Channel）を受信するＤＬ受信部と、
少なくとも第１のＭＣＳ（Modulation and Coding Scheme）テーブルか第２のＭＣＳテーブルを用いて、前記ＰＤＳＣＨの復調で用いられる変調方式を決定するＰＤＳＣＨ復調部と、
を備え、
前記第１のＭＣＳテーブルは、第１のＣＱＩテーブルと第２のＣＱＩテーブルのうち第２のＣＱＩテーブルの利用の指示が設定され、共通サーチスペースのＰＤＣＣＨによってＰＤＳＣＨが割り当てられた場合に、変調方式の決定のために用いられ、
前記第１のＭＣＳテーブルは、第１の変調方式に関する情報を含み、
前記第１の変調方式に関する情報は、ＱＰＳＫ、１６ＱＡＭあるいは６４ＱＡＭに対応し、
前記第２のＭＣＳテーブルは、第２の変調方式に関する情報を含み、
前記第２の変調方式に関する情報は、ＱＰＳＫ、１６ＱＡＭ、６４ＱＡＭあるいは２５６ＱＡＭに対応し、
前記第１のＣＱＩテーブルは、第３の変調方式に関する情報を含み、
前記第３の変調方式に関する情報は、ＱＰＳＫ、１６ＱＡＭあるいは６４ＱＡＭに対応し、
前記第２のＣＱＩテーブルは、第４の変調方式に関する情報を含み、
前記第３の変調方式に関する情報は、ＱＰＳＫ、１６ＱＡＭ、６４ＱＡＭあるいは２５６ＱＡＭに対応する、
端末装置。
【請求項２】
前記第１のＣＱＩテーブルと第２のＣＱＩテーブルのうち第２のＣＱＩテーブルの利用の指示が設定されない場合、前記ＰＤＳＣＨで用いられる変調方式は第１のＭＣＳテーブルに基づく、
請求項１に記載の端末装置。
【請求項３】
前記第２のＭＣＳテーブルは、少なくとも、第１のＣＱＩテーブルと第２のＣＱＩテーブルのうち第２のＣＱＩテーブルの利用の指示が設定され、端末装置固有のサーチスペースのＰＤＣＣＨによってＰＤＳＣＨが割り当てられた場合に、変調方式の決定のために用いられる、
請求項１に記載の端末装置。
【請求項４】
基地局装置であって、
ＰＤＳＣＨ（Physical Downlink Shared Channel）を生成するＰＤＳＣＨ生成部と、
端末装置に対して、前記ＰＤＳＣＨ、とＰＤＣＣＨ（Physical Downlink Control Channel）を送信するＤＬ送信部と、
少なくとも第１のＭＣＳ（Modulation and Coding Scheme）テーブルか第２のＭＣＳテーブルを用いて、前記ＰＤＳＣＨの変調で用いられる変調方式を決定するＰＤＳＣＨ変調部を備え、
前記第１のＭＣＳテーブルは、第１のＣＱＩテーブルと第２のＣＱＩテーブルのうち第２のＣＱＩテーブルの利用の指示が設定され、共通サーチスペースのＰＤＣＣＨによってＰＤＳＣＨが割り当てられた場合に、変調方式の決定のために用いられ、
前記第１のＭＣＳテーブルは、第１の変調方式に関する情報を含み、
前記第１の変調方式に関する情報は、ＱＰＳＫ、１６ＱＡＭあるいは６４ＱＡＭに対応し、
前記第２のＭＣＳテーブルは、第２の変調方式に関する情報を含み、
前記第２の変調方式に関する情報は、ＱＰＳＫ、１６ＱＡＭ、６４ＱＡＭあるいは２５６ＱＡＭに対応し、
前記第１のＣＱＩテーブルは、第３の変調方式に関する情報を含み、
前記第３の変調方式に関する情報は、ＱＰＳＫ、１６ＱＡＭあるいは６４ＱＡＭに対応し、
前記第２のＣＱＩテーブルは、第４の変調方式に関する情報を含み、
前記第３の変調方式に関する情報は、ＱＰＳＫ、１６ＱＡＭ、６４ＱＡＭあるいは２５６ＱＡＭに対応する、
基地局装置。
【請求項５】
前記第１のＣＱＩテーブルと第２のＣＱＩテーブルのうち第２のＣＱＩテーブルの利用の指示が設定されない場合、前記ＰＤＳＣＨで用いられる変調方式は第１のＭＣＳテーブルに基づく、
請求項４に記載の基地局装置。
【請求項６】
前記第２のＭＣＳテーブルは、少なくとも、前記第１のＭＣＳテーブルは、第１のＣＱＩテーブルと第２のＣＱＩテーブルのうち第２のＣＱＩテーブルの利用の指示が設定され、端末装置固有のサーチスペースのＰＤＣＣＨによってＰＤＳＣＨが割り当てられた場合に、変調方式の決定のために用いられる、
請求項４に記載の基地局装置。
【発明の詳細な説明】
【技術分野】
【０００１】
本発明は、端末装置および基地局装置に関する。
【背景技術】
【０００２】
近年のスマートフォン等の普及により、高速無線伝送の要求が高まっている。標準化団体の１つである３ＧＰＰ（The Third Generation Partnership Project）では、ＬＴＥ（Long Term Evolution）の仕様化を行なっており、現在はＲｅｌ−１１（Release 11）の仕様化がほぼ終了し、Ｒｅｌ−１２の仕様化が行なわれている。
【０００３】
ＬＴＥのダウンリンクでは、変調方式として、ＱＰＳＫ（Quadrature Phase Shift Keying）、１６ＱＡＭ（Quadrature Amplitude Modulation）および６４ＱＡＭをサポートしている。ＱＰＳＫは１変調シンボルで２ビットしか送信できないのに対し、１６ＱＡＭでは４ビット、６４ＱＡＭでは６ビットを送信することができる。つまり、ＱＰＳＫよりも１６ＱＡＭが、１６ＱＡＭよりも６４ＱＡＭの方が、周波数利用効率が高い。ところが基地局装置（eNB、evolved Node B）と端末装置（UE、User Equipment）のチャネル状態が悪いと、１変調シンボル中の送信ビット数が多くなるに従い、ビット誤りが発生しやすくなる。そこでＬＴＥでは、ｅＮＢとＵＥとの間のチャネル状態によって、適応的に変調方式を選択する、適応変調と呼ばれる技術が採用されている。なおＬＴＥでは変調方式に加えて誤り訂正符号の符号化率も適応的に変更している。例えばＬＴＥのＦＤＤ（Frequency Division Duplex）では、基地局装置が送信した参照信号に基づき、ＵＥがダウンリンクのチャネル状態を推定し、得られたチャネル品質情報（CQI、Channel Quality Information）をｅＮＢに通知する。ｅＮＢは通知されたＣＱＩを用いて、所定の誤り率以下となる変調方式および符号化率（MCS、Modulation and Coding scheme）の組み合わせの中で最も周波数利用効率の高い変調方式を選択し、選択されたＭＣＳを用いて下りリンクの伝送を行なう。このようにＬＴＥでは、チャネル状態に応じてＭＣＳを適応的に選択することで、高いスループットを実現することができる。
【０００４】
またＲｅｌ−１２の標準化では、従来のｅＮＢに加えて、ピコ基地局（スモールセルとも呼ばれる）をｅＮＢがカバーするセル内に配置することが検討されている。なおピコ基地局は必ずしも基地局としての機能を備える必要はなく、張り出しアンテナ（RRH、Remote Radio Head）で構成されてもよい。ピコ基地局はセル内に複数配置することが検討されている他、セクタ化を行なわないことが前提となるため、セクタ間干渉がない等の理由により、高ＳＩＮＲ（Signal to Interference plus Noise power Ratio）が得られる確率がＲｅｌ−８の時より高くなることが想定される。そこで３ＧＰＰではＱＰＳＫ、１６ＱＡＭ、６４ＱＡＭに加えて、１シンボルで８ビットの送信が可能となる２５６ＱＡＭの導入が検討されている。２５６ＱＡＭの導入により、高ＳＩＮＲでデータを受信できるＵＥは、さらにスループットを高くすることができる。
【０００５】
ところでＵＥがｅＮＢ（あるいはピコ基地局）に通知するＣＱＩは６４ＱＡＭまでを想定した値が定義されている。そのため、ＵＥは最も高いＣＱＩをｅＮＢに通知しても、ｅＮＢは２５６ＱＡＭによってＵＥにデータを送信するにはチャネル状態が悪いと判断し、２５６ＱＡＭを送信しても誤りなく伝送できる環境にも関わらず、ｅＮＢはダウンリンクで６４ＱＡＭを用いてデータを伝送することが予想される。またダウンリンクのデータ伝送にはＰＤＳＣＨ（Physical Downlink Shared CHannel）と呼ばれるチャネルが用いられるが、制御情報の送信にはＰＤＣＣＨ（Physical Downlink Control CHannel）と呼ばれるチャネルを利用して、ＰＤＳＣＨで使用されるＭＣＳを通知する。ところがＲｅｌ−１１までの仕様では２５６ＱＡＭが定義されていないため、ＰＤＣＣＨで２５６ＱＡＭを設定することができない。
【０００６】
このようにＲｅｌ−１１までのＣＱＩやＭＣＳでは、ＵＥがｅＮＢに２５６ＱＡＭを要求することや、ｅＮＢがＵＥに２５６ＱＡＭでの伝送を行なっていることを通知することができない。そこで、非特許文献１および非特許文献２で示されているように、Ｒｅｌ−１１までの仕様では、ＣＱＩは４ビット、ＭＣＳは５ビットで定義されているが、２５６ＱＡＭをサポートするため、それぞれ１ビットずつ情報量を増やし、それぞれＣＱＩは５ビット、ＭＣＳは６ビットとすることが考えられる。ところがビット数を増加させると、制御情報が増加することでダウンリンクのスループットが低下するほか、制御情報のビット数が増加することによって、制御情報に対して行なうブラインドデコーディングと呼ばれる仕組みを変更する必要があるという問題が発生する。
【０００７】
そこで、現在３ＧＰＰでは、非特許文献３で示されているように、６４ＱＡＭまでに対応したＣＱＩテーブルによって算出したＣＱＩインデックスを通知し、６４ＱＡＭまでに対応したＭＣＳテーブルでＭＣＳインデックスを通知する従来のモード（以下、64QAMモード）と、２５６ＱＡＭまで対応したＣＱＩテーブルによって算出したＣＱＩインデックスを通知し、２５６ＱＡＭまで対応したＭＣＳテーブルでＭＣＳインデックスを通知する新しいモード（以下、256QAMモード）を用意することが提案されている。また非特許文献４では、どちらのテーブルを選択するかは、ＲＲＣ（Radio Resource Control）と呼ばれる上位レイヤの通知によって決定することが提案されている。ＲＲＣによってモードを切り替えることにより、ＣＱＩのビット数およびＭＣＳのビット数を変更することなく、２５６ＱＡＭでの伝送をサポートすることができる。
【先行技術文献】
【非特許文献】
【０００８】
【非特許文献１】３ＧＰＰ  ＴＳ３６．２１２  Ｖ１１．３．０．
【非特許文献２】３ＧＰＰ  ＴＳ３６．２１３  Ｖ１１．３．０．
【非特許文献３】CATT, “Analysis on specification impact of higher order modulation,” R1-135079, San Francisco, USA, November, 11-15, 2013.
【非特許文献４】Panasonic, “Specification Impact of Introducing 256QAM,” R1-135395, San Francisco, USA, November, 11-15, 2013.
【発明の概要】
【発明が解決しようとする課題】
【０００９】
なお、２５６ＱＡＭモードのＭＣＳとしては、非特許文献３で示されているように６４ＱＡＭモードから低いＭＣＳ（つまりQPSK）を削除して２５６ＱＡＭを導入すること（方法１）や、非特許文献４で示されているように、６４ＱＡＭモードのＭＣＳテーブルからダウンサンプリング、つまりＱＰＳＫをある程度残しつつ、２５６ＱＡＭを導入する方法（方法２）等が検討されている。ところが低いＭＣＳを削除し、２５６ＱＡＭを導入する方法１では、２５６ＱＡＭを誤りなく伝送できるような良好なチャネル状態から、ＱＰＳＫでなければ誤りが生じてしまうような劣悪なチャネル状態に急激に変化したとき、ＲＲＣによって２５６ＱＡＭモードから６４ＱＡＭモードに変更を行ない、ＱＰＳＫによる送信を行なう必要がある。しかしながら、ＲＲＣの送信周期は比較的長いため、急速なチャネル状態の変化が生じた場合ＱＰＳＫによる伝送を行なうことができないため、スループットが低下してしまう。一方、ダウンサンプリングしたＭＣＳテーブルを用いた方法２の場合、伝送ができなくなるといった大幅なスループットの劣化は生じないものの、ダウンサンプリング前の６４ＱＡＭモードのような緻密なＭＣＳの制御を行なうことができなくなるため、スループットの低下を招いてしまう。
【００１０】
本発明は、上記問題に鑑みてなされたものであり、その目的は、制御情報を増加させることなく、スループットを増加させることである。
【課題を解決するための手段】
【００１１】
上述した課題を解決するために本発明に係る端末および基地局の各構成は、次の通りである。
【００１２】
（１）上記課題を解決するために、本発明の一様態にかかる送信装置は、複数のＣＱＩテーブルを備える端末装置であって、前記端末装置は、基地局装置から通知される制御情報に関する情報を抽出する制御情報抽出部と、前記制御情報に関する情報と、前記複数のＣＱＩテーブルの中の１つのＣＱＩテーブルを関連付けた設定を行なうＲＲＣ設定部と、前記制御情報と前記設定に基づいて前記複数のＣＱＩテーブルのうち１つのＣＱＩテーブルを設定し、ＣＱＩインデックスを生成するＣＱＩ決定部を備える。
【００１３】
（２）上記課題を解決するために、本発明の一様態にかかる送信装置は、制御情報に関する情報は、ＰＤＣＣＨあるいはｅＰＤＣＣＨに含まれる制御情報である。
【００１４】
（３）上記課題を解決するために、本発明の一様態にかかる送信装置は、ＰＤＣＣＨあるいはｅＰＤＣＣＨの探索領域の種類である。
【００１５】
（４）上記課題を解決するために、本発明の一様態にかかる送信装置は、ＰＤＣＣＨあるいはｅＰＤＣＣＨに含まれる制御情報は、ＣＳＩ要求領域である。
【００１６】
（５）上記課題を解決するために、本発明の一様態にかかる基地局装置は、端末装置へ通知される制御情報を生成する制御情報生成部を備える基地局装置であって、前記基地局装置は、複数のＭＣＳテーブルの中の１つのＭＣＳテーブルと前記制御情報を関連付けた設定を生成するＲＲＣ情報生成部と、前記制御情報と前記ＲＲＣ情報生成部が生成する設定に基づいてＭＣＳインデックスを設定するＭＣＳ決定部を備える。
【００１７】
（６）上記課題を解決するために、本発明の一様態にかかる基地局装置は、制御情報に関する情報は、ＰＤＣＣＨあるいはｅＰＤＣＣＨに含まれる制御情報である。
【００１８】
（７）上記課題を解決するために、本発明の一様態にかかる基地局装置は、ＰＤＣＣＨあるいはｅＰＤＣＣＨに含まれる制御情報は、ＣＳＩ要求領域である。
【００１９】
（８）上記課題を解決するために、本発明の一様態にかかる基地局装置は、ＲＲＣ情報生成部は、ＣＣ毎に設定可能とする。
【発明の効果】
【００２０】
この発明によれば、制御情報の増加を抑えることで、ダウンリンクのデータレートの低下を抑えることができる。
【図面の簡単な説明】
【００２１】
【図１】第一の実施形態における通信システムの一例を示す図である。
【図２】第一の実施形態における基地局装置構成の一例である。
【図３】第一の実施形態における６４ＱＡＭモードのＣＱＩテーブルである。
【図４】第一の実施形態における２５６ＱＡＭモードのＣＱＩテーブルである。
【図５】第一の実施形態における６４ＱＡＭモードのＭＣＳテーブルである。
【図６】第一の実施形態における２５６ＱＡＭモードのＭＣＳテーブルである。
【図７】第一の実施形態における端末装置構成の一例である。
【図８】第一の実施形態におけるＣＳＩ要求領域の値とその動作を説明するためのテーブルである。
【図９】第一の実施形態におけるＣＳＩ要求領域の値とセルセットでの変調モードを示すテーブルである。
【図１０】第一の実施形態におけるＣＳＩ要求領域の値とセルセットでの変調モードの別例を示すテーブルである。
【図１１】従来の変調モード変更のシーケンスチャートの一例である。
【図１２】第一の実施形態における変調モード変更のシーケンスチャートの一例である。
【図１３】第二の実施形態におけるＵＳＳとＣＳＳの配置と第一の実施形態における変調モード変更のシーケンスチャートの一例である。
【図１４】第三の実施形態における２５６ＱＡＭモードのＣＱＩテーブルの一例である。
【発明を実施するための形態】
【００２２】
以下、本発明の実施形態について、図面を参照して詳細に説明する。下記でＣＳＩ（Channel State Information）とは、ダウンリンクの伝送においてＵＥがｅＮＢに期待するランク数であるＲＩ（Rank Indicator）と、該ランク数における適切なプリコーディング行列のインデックスを示すＰＭＩ（Precoding Matrix Indicator）、および各符号語（コードワード）の品質を示すＣＱＩ（Channel Quality Indicator）から構成される。
【００２３】
［第１の実施形態］
以下、図面を参照しながら、本発明の第１の実施形態について説明する。図１は、本実施形態における無線通信システムの構成の一例を示す。該システムは、マクロ基地局装置１０１、ピコ基地局装置１０２、端末装置１０３から構成される。マクロ基地局装置１０１がカバーするエリア１１０とピコ基地局装置１０２がカバーするエリア１１１が存在し、端末装置は所定の条件によって、マクロ基地局装置１０１およびピコ基地局装置１０２との接続を行なう。装置のアンテナポート数は１であっても複数であってもよい。ここでアンテナポート数とは、物理的なアンテナ数ではなく、通信を行なう装置が認識できる論理的なアンテナ数を指す。またピコ基地局装置は基地局装置でなくてもよく、端末装置と端末装置が直接通信を行なう場合のクラスタヘッドと呼ばれる装置であってもよい。
【００２４】
図２に、マクロ基地局装置１０１の構成の一例を示す。ピコ基地局装置１０２の構成も図２に示すものと同一であってもよい。なお図２では、本発明の説明に必要となるブロックのみを示している。端末装置１０３が送信した信号は、受信アンテナ２０１を介してＵＬ受信部２０２で受信される。なお受信アンテナ２０１は複数存在し、受信ダイバーシチやアダプティブアレーアンテナ等の既存の技術を適用してもすることで、受信品質を向上させてもよい。ＵＬ受信部２０２は、ダウンコンバージョンやフーリエ変換等の処理を行なう。ＵＬ受信部２０２の出力は制御情報抽出部２０３に入力される。制御情報抽出部２０３では、端末装置が送信した制御情報を抽出する。ここで制御情報は制御情報専用のチャネルであるＰＵＣＣＨ（Physical Uplink Control CHannel）に含まれていてもよいし、情報データ送信用のチャネルであるＰＵＳＣＨ（Physical Uplink Shared CHannel）を用いて送信された制御情報であってもよい。制御情報抽出部２０３で抽出された制御情報はＣＱＩ抽出部２０４およびＲＲＣ抽出部２０５に入力される。ＲＲＣ抽出部２０５では、制御情報の中からＲＲＣに関する情報を抽出し、その情報をｅＮＢ内の各部で設定する。様々な設定を行なうことが可能であるが、本実施形態と直接関連する設定は、従来のＣＱＩおよびＭＣＳのテーブルを用いる６４ＱＡＭモードと、２５６ＱＡＭを使用可能とするテーブルを用いる２５６ＱＡＭモードのどちらとするかという設定（本実施形態では、変調モード設定と呼ぶ）と、ｅＮＢがＵＥに対して、非周期的ＣＳＩを要求する際に、どのＣＣでのＣＳＩを通知するのかの設定（本実施形態では、ＣＳＩ要求設定と呼ぶ）である。
【００２５】
なお本実施形態で６４ＱＡＭモードとは、ＬＴＥ  Ｒｅｌ−１１までで定義されているＭＣＳテーブル、ＣＱＩテーブル等を用いる設定を示し、ＰＤＳＣＨに適用されるＭＣＳテーブルを構成する変調方式として２５６ＱＡＭが含まれない設定（構成）、あるいはＰＤＳＣＨに適用されるＭＣＳテーブルを構成する変調方式がＱＰＳＫ、１６ＱＡＭ、６４ＱＡＭから構成される設定（構成）、あるいはフィードバックに用いられるＣＱＩテーブルを構成する変調方式として２５６ＱＡＭが含まれない設定（構成）、あるいはフィードバックに用いられるＣＱＩテーブルを構成する変調方式がＱＰＳＫ、１６ＱＡＭ、６４ＱＡＭから構成される設定（構成）等を指す。一方、本実施形態で２５６ＱＡＭモードとは、ＬＴＥ  Ｒｅｌ−１１までとは異なり、２５６ＱＡＭでのＰＤＳＣＨのデータ伝送を行なうことが想定されたＭＣＳテーブル、ＣＱＩテーブル等を用いる設定を示し、ＰＤＳＣＨに適用されるＭＣＳテーブルを構成する変調方式として２５６ＱＡＭが少なくとも含まれる設定（構成）、あるいはＰＤＳＣＨに適用されるＭＣＳテーブルを構成する変調方式がＱＰＳＫ、１６ＱＡＭ、６４ＱＡＭ、２５６ＱＡＭから構成される設定（構成）、あるいはフィードバックに用いられるＣＱＩテーブルを構成する変調方式として２５６ＱＡＭが含まれる設定（構成）、あるいはフィードバックに用いられるＣＱＩテーブルを構成する変調方式がＱＰＳＫ、１６ＱＡＭ、６４ＱＡＭ、２５６ＱＡＭから構成される設定（構成）等を指す。６４ＱＡＭモードと２５６ＱＡＭモードの変更は、上位レイヤから与えられる所定のパラメータによって行なわれる。
【００２６】
ＣＱＩ抽出部２０４では、制御情報抽出部２０３から入力された制御情報の中から、各ＵＥが送信したＣＱＩインデックスを抽出する。ここでＣＱＩはダウンリンクで送信される参照信号を用いて、ＵＥが測定したダウンリンクのチャネル品質情報である。ただし、ｅＮＢが６４ＱＡＭモードと２５６ＱＡＭモードのどちら変調モードを設定しているかで、同じＣＱＩインデックスが通知されてもｅＮＢでの解釈が異なる。どちらの変調モードが設定されているかは、ＲＲＣ抽出部２０５からＣＱＩ抽出部２０４に、ＵＥが変調モードの変更設定を完了した旨をＣＱＩ抽出部２０４に通知することで決定される。例えば、ＲＲＣで通知される変調モード設定によって、６４ＱＡＭモードがｅＮＢとＵＥで設定されている場合、図３のようなＣＱＩテーブルによってＵＥがＣＱＩインデックスを通知したものと解釈する。一方、ＲＲＣで通知される変調モード設定によって、２５６ＱＡＭモードがｅＮＢとＵＥで設定されている場合、図４のようなＣＱＩテーブルによってＵＥがＣＱＩインデックスを通知したものと解釈する。ここで図４のＣＱＩテーブルは、図３のテーブルの内、ＱＰＳＫ伝送用のインデックスを削減し、さらに６４ＱＡＭ伝送用のＣＱＩの内、周波数利用効率の高いものを２５６ＱＡＭ伝送に置き換えたものである。なお図４は一例であり、ＱＰＳＫでの伝送を想定しないテーブルや図３のテーブルのＣＱＩを等間隔に削除し、２５６ＱＡＭとしたものなど、図３のＣＱＩテーブルと異なり、かつ２５６ＱＡＭでの伝送が想定されたＣＱＩテーブルであればどのようなものであってもよい。
【００２７】
ＣＱＩ抽出部２０４で抽出された各ＵＥのＣＱＩはスケジューリング部２０６およびＭＣＳ決定部２０７に入力される。スケジューリング部２０６では各ＵＥのＣＱＩを用いて、各ＵＥへのリソース割り当てを行なう。ここで、ダウンリンクでＭＩＭＯ（Multiple Input Multiple Output）伝送を行なう場合、ＣＱＩに加えて、ＵＥから通知されるＲＩ（Rank Indicator）やＰＭＩ（Precoding Matrix Indicator）を用いてスケジューリングが行なわれる。スケジューリング部２０６が出力する各ＵＥの割り当て情報は、ＭＣＳ決定部２０７およびＰＤＳＣＨ生成部２０８に入力される。
【００２８】
ＭＣＳ決定部２０７では、スケジューリング部２０６から入力されるリソース割り当て情報とＣＱＩ抽出部２０４から入力されるＣＱＩインデックス、およびＲＲＣ抽出部２０５から入力される変調モードを用いて、次回の伝送に用いるリソースにおけるチャネル品質を推定する。推定されたチャネル品質に基づき、所定の誤り率が得られるＭＣＳを決定し、ＭＣＳインデックスを作成する。この時、作成されるＭＣＳインデックスは、変調モードによって異なる。例えばＲＲＣで通知される変調モード設定によって、６４ＱＡＭモードが設定されている場合、図５に示すようなＭＣＳテーブルからＭＣＳインデックスを選択する。一方、ＲＲＣで通知される変調モード設定によって、２５６ＱＡＭモードが設定されている場合、図６に示すようなＭＣＳテーブルからＭＣＳインデックスを選択する。ここで図６のＭＣＳテーブルは、２５６ＱＡＭまでサポートしていればどのようなものであってもよい。ＭＣＳ決定部２０７が決定したＭＣＳインデックスはＰＤＳＣＨ生成部２０８に入力されるとともに、制御情報生成部２０９に入力される。制御情報生成部２０９では入力されたＭＣＳインデックスを、割り当て情報などの他の制御情報とともにＤＣＩフォーマットと呼ばれるフォーマットとして、ＰＤＣＣＨに配置する。なお、制御情報（DCIフォーマット）の送信に必ずしもＰＤＣＣＨを用いる必要はなく、ＰＤＳＣＨの中に制御情報用の領域を確保し、そのチャネルを利用して送信してもよい。
【００２９】
ＰＤＳＣＨ生成部２０８ではＭＣＳ決定部２０７から入力される各ＵＥのＭＣＳインデックスによって、各ＵＥ宛の情報ビットに対して符号化および変調を行ない、スケジューリング部２０６から入力される割り当て情報にしたがって、各ＵＥ宛の信号をＰＤＳＣＨに配置する。配置された信号はＤＬ送信部２１１に入力される。また、ＲＲＣ情報生成部２１０がＵＥに通知すべき情報が存在する場合、ＰＤＳＣＨ生成部２０８に該ＲＲＣ情報が入力され、該ＵＥ宛のデータ信号としてＰＤＳＣＨによって送信される。該ＲＲＣ情報とは、ＲＲＣシグナリングによって通知される情報であり、変調モード（256QAMモードと64QAMモード）の設定情報である変調モード設定や、ＣＳＩ要求領域の値に対応するセルセットの構成であるＣＳＩ要求設定等が含まれる。
【００３０】
ＤＬ送信部２１１ではＰＤＳＣＨ生成部２０８とＰＤＣＣＨ生成部２１１から入力される信号を多重した後、ＩＦＦＴ処理、帯域制限フィルタリング処理、アップコンバージョン等を行なう。ＤＬ送信部２１１が出力する信号は送信アンテナ２１２を介して端末装置１０３に送信される。
【００３１】
マクロ基地局装置１０１が送信した信号は、チャネルを経由し、端末装置１０３で受信される。図７に端末装置１０３の構成例を示す。受信アンテナ７００で受信された信号はＤＬ受信部７０１に入力され、ダウンコンバージョン、帯域制限フィルタリング、離散フーリエ変換等の処理を適用し、得られた信号を参照信号抽出部７０２に入力される。参照信号抽出部７０２では、ｅＮＢが送信するＣＲＳ、ＣＳＩ−ＲＳ、ＤＭＲＳ等の参照信号が送信されたリソースが抽出され、チャネル推定部７０６に入力される。チャネル推定部７０６では入力された受信参照信号を用いてｅＮＢとＵＥとの間のチャネル状態を推定する。得られたチャネル推定値はＣＱＩ決定部７０７に入力される。なお図７では示していないが、得られたチャネル推定値の一部は復調に用いるため、ＰＤＳＣＨ復調部７０４にも入力される。
【００３２】
参照信号抽出部７０２において参照信号以外のリソースエレメントは制御情報抽出部７０３に入力される。制御情報抽出部７０３では、受信信号の中から制御情報（DCIフォーマット）に関する情報を抽出する。抽出された制御情報のうちＰＤＳＣＨのＭＣＳインデックスに関する情報はＰＤＳＣＨ復調部７０４に入力される。また、本発明においては抽出された非周期的ＣＳＩに関する制御情報をＣＱＩ決定部７０７に入力し、ＣＱＩ決定部７０７において非周期的ＣＳＩに関する制御情報を用いることが特徴であり、詳細は後述する。
【００３３】
制御情報抽出部７０３の出力はＰＤＳＣＨ復調部７０４に入力される。ＰＤＳＣＨ復調部７０４では、制御情報抽出部７０３から入力されるＭＣＳ情報に基づいて、ＰＤＳＣＨの復調を行なう。このとき、ＲＲＣ設定部７０８から入力される変調モード設定に基づいて参照するＭＣＳテーブルを選択し、選択されたＭＣＳテーブルと通知されたＭＣＳインデックスからＭＣＳを決定し、復調に用いる。例えば、ＲＲＣ設定部７０８において、６４ＱＡＭモードが設定されている場合、図５のＭＣＳテーブルに基づいてＭＣＳの決定を行ない、２５６ＱＡＭモードが設定されている場合、図６のＭＣＳテーブルに基づいてＭＣＳの決定を行なう。
【００３４】
ＰＤＳＣＨ復調部７０４の出力はＲＲＣ抽出部７０８に入力される。ＲＲＣ抽出部７０８では、入力された信号にＲＲＣが含まれる場合、ＲＲＣを抽出し、ＲＲＣ設定部７０８に入力する。ＲＲＣ設定部７０８では、ＲＲＣによってｅＮＢが伝送した制御情報をＵＥの各部において設定する処理を行なう。例えばＲＲＣシグナリングによって変調モード設定が通知され、２５６ＱＡＭモードが設定される場合、ＰＤＳＣＨ復調部７０４では２５６ＱＡＭモードでの復調を次回の伝送以降で行なう。また、６４ＱＡＭモードか２５６ＱＡＭモードかの変調モード設定はＣＱＩ設定部７０７にも入力される。ＭＣＳの設定と同様、６４ＱＡＭモードの場合、図３のＣＱＩテーブルを用い、２５６ＱＡＭモードの場合、図４のＣＱＩテーブルを用いてＣＱＩインデックスの決定を行なう。
【００３５】
またＲＲＣ設定部７０８において、ＵＥ内の各ブロックでＲＲＣによる制御を設定したことはＰＵＳＣＨ生成部７１０に入力される。ＲＲＣの設定が完了したという情報はＰＵＳＣＨで情報ビットとともにｅＮＢに送信されることで、ｅＮＢは通知したＲＲＣ情報がＵＥで設定されたことを把握する。
【００３６】
ＣＱＩ決定部７０７では、チャネル推定部７０６から入力されるチャネル推定値とＲＲＣ設定部７０８から入力される変調モード設定（64QAMモードか256QAMモードかの設定）を用いて、ＣＱＩを決定する。具体的には６４ＱＡＭモードの場合、図４のＣＱＩテーブルによってチャネル推定値を量子化し、所定の誤り率となるＣＱＩインデックスをＰＵＣＣＨ生成部７１０に入力する。なお、ＣＱＩのｅＮＢへの通知は、ＰＵＣＣＨによって行なってもよいし、ＰＵＳＣＨによって行なってもよい。ＬＴＥにおいては、ＣＳＩの通知には周期的と非周期的なものがある。周期的ＣＳＩはＰＵＣＣＨを基本的に用いる一方、非周期的ＣＳＩはＰＵＳＣＨを用いて行なうことになっている。つまり上述のようにＣＱＩインデックスをＰＵＣＣＨ生成部７０９に入力せずに、ＰＵＳＣＨ生成部７１０に入力してもよい。
【００３７】
次に本発明の特徴について詳細に説明を行なう。従来開示されているようにＲＲＣで通知される変調モード設定のみによって変調モードを切り替えることとした場合、ＲＲＣによる設定をｅＮＢからＵＥに送信し、ＵＥからｅＮＢに通知されたＲＲＣの設定を行なったことを通知することで変調モードを変更することが可能であるが、ＲＲＣのやり取りを行なうには時間がかかる。一方、ＲＲＣを用いず、ＰＤＣＣＨ等で変調モードに関する制御情報をやり取りすることができれば、高速に変調モードを変更できるため、チャネル状態が急速に変化するような場合においても適切な変調モードを選択することができる。しかしながらＰＤＣＣＨに変調モード選択を示す情報ビットを追加すると、新たにＤＣＩフォーマットを定義しなければいけない上、ダウンリンクの制御情報量が増加するため、データの実効スループットの低下を招いてしまう。
【００３８】
そこで本実施形態では、ＰＤＣＣＨのビット数を増加させずに高速に変調モードを変更する方法について説明を行なう。
【００３９】
ＬＴＥシステムにおいて、ＰＤＣＣＨで送信されるＤＣＩフォーマット０あるいはＤＣＩフォーマット４と呼ばれる送信方法では、ｅＮＢがＵＥに対しＡ−ＣＳＩ（Aperiodic CSI）を要求するために２ビットの領域を確保することができる。以降、ＣＳＩ要求領域と呼ぶ。その２ビットによって、図８に示すような情報を送信することができる。図８で示されているように、２ビットが‘１０’の場合と‘１１’の場合、上位レイヤから与えられる動作を行なうことが、現行のＬＴＥシステムでは仕様化されている。ここで上位レイヤでの設定は既述のＲＲＣシグナリング（CSI要求設定）によって変更することが可能である。したがって、ＤＣＩフォーマット中のＣＳＩ要求領域の値を変更することで、環境に応じて非周期的ＣＳＩの設定を変更することができる。ただし、ＣＳＩ要求領域によって指定可能な領域は‘１０’と‘１１’の場合の２パターンのみであるため、ＲＲＣシグナリングによってその２パターンのＣＳＩ要求設定を様々な設定に変更可能となるようにしている。このように複数の設定を高速に変更できる信号と、低速ではあるものの設定自体を変更できる信号を組み合わせることで、少ない制御情報で高速な通信環境の変化に対応できる仕様になっている。
【００４０】
本実施形態では、このＲＲＣシグナリングで設定されるＣＳＩ要求設定に変調モードの情報を追加する。この理由としては、ＵＥは複数のセルと呼ばれるＬＴＥのコンポーネントキャリア（CC、サービングセル）を複数用いて通信を行なうことになるが、ＵＥが使用できる複数のＣＣは、同じｅＮＢに属するとは限らず、異なる複数のｅＮＢによって構成されることがある。例えば、マクロ基地局がＣＣ＃１と＃２を構成し、ピコｅＮＢがＣＣ＃３を構成するとする。ここで２５６ＱＡＭは、マクロｅＮＢよりも高い密度で配置されるためＵＥとの距離が近いピコｅＮＢで適用されることが多いことが予想される。つまり、ピコｅＮＢでは２５６ＱＡＭモードを適用し、マクロｅＮＢでは６４ＱＡＭモードを適用することが通常となる。したがって図９のように‘１０’の場合、ＣＣ＃１に関して６４ＱＡＭモードによってＣＱＩを算出し、ＰＵＳＣＨによってｅＮＢへそのＣＱＩの通知を行ない、ＣＣ＃３に関しては２５６ＱＡＭモードによってＣＱＩを算出し、ＰＵＳＣＨによってｅＮＢへそのＣＱＩの通知を行なう。しかしながら、ピコｅＮＢが構成するＣＣであっても、ＵＥとピコｅＮＢとの間に突然遮蔽物が発生した場合、ＵＥでの受信ＳＩＮＲが急激に劣化するため、２５６ＱＡＭモードではなく６４ＱＡＭモードを適用したほうが望ましい。しかしながらＲＲＣシグナリングによって設定を変更するには時間がかかる。そこで‘１１’の場合は、ＣＣ＃３においては６４ＱＡＭモードでＣＱＩを算出する設定とする。このような設定をすることで急激にＳＩＮＲが劣化し、２５６ＱＡＭモードでは通信が行なえない状況になったとしても、ＰＤＣＣＨで通知されるＤＣＩフォーマットによって高速に６４ＱＡＭモードへの変更ができる。
【００４１】
なお、図９で示したようにピコｅＮＢが構成するＣＣ＃３について、２５６ＱＡＭモードと６４ＱＡＭモードを必ずしも用意する必要はなく、図１０のようにＣＣ毎にモードを固定するように変調モードを設定してもよい。この場合、図９ではＣＣ＃２でＣＱＩを送信するには、ＣＣ＃３の変調モードを６４ＱＡＭモードに変更する必要があるが、ＲＲＣシグナリングによってＣＳＩ要求設定を変更することで、図１０のようにＣＳＩ要求領域での動作を設定することで、ＰＤＣＣＨ（あるいはePDCCH）で通知されるＤＣＩフォーマットのＣＳＩ要求領域の２ビットの値によって、ＵＥがｅＮＢに通知するＣＱＩインデックスを算出する際に参照するＣＱＩテーブルを設定することができる。この結果、ＲＲＣシグナリングによって変調モード設定を変更することで参照すべきＣＱＩテーブルを設定することなしに、ＣＣ＃３の変調モードを２５６ＱＡＭとしたままＣＣ＃２でのＣＱＩを送信することができる。
【００４２】
上記では複数のＣＣが存在する場合に、ＣＣ毎に変調モードの設定を行なうことができることを示した。ところでＬＴＥ  Ｒｅｌ−１１では、複数のｅＮＢが協調してＵＥと通信を行なうことが可能となっており、協調通信を行なうための伝送モードが規定されている。協調通信を行なうため、ＵＥは複数のｅＮＢにＣＳＩを通知することが望ましく、マルチプルＣＳＩプロセスと呼ばれる仕組みが仕様化されている。マルチプルＣＳＩプロセスでは、各ＵＥは各ＣＣで複数のＣＳＩレポートをＵＥが行なうことができる。そこで１ＣＣ内の複数のＣＳＩレポートプロセス（以下、CSIプロセスとも呼ぶ）に関して、それぞれ変調モードを個別に設定することで、送信局をダイナミックに切り替えるような協調通信において、送信ポイント（eNB）毎に変調モードを変更することができるようになる。つまり、ＲＲＣシグナリングによって、各ＣＳＩプロセスに異なるＣＱＩテーブルを設定でき、ＲＲＣシグナリングによって設定（構成）されたＣＱＩテーブルに基づいたＣＱＩインデックスをＣＳＩプロセス毎にレポートすることができる。
【００４３】
次に本実施形態の他の効果を説明する。初めに本発明を用いない場合について、図１１のシーケンスチャートを用いて説明する。ＲＲＣによって変調モードを変更する例について説明を行なう。まず、６４ＱＡＭモードにおいてＵＥがＣＱＩをｅＮＢに通知している。ｅＮＢは、受信したＣＱＩによりＵＥの受信ＳＩＮＲが十分に高いと判断し、２５６ＱＡＭモードに設定することをＲＲＣによってＵＥに通知する。ＲＲＣを受信したＵＥは２５６ＱＡＭモードの設定が完了したことをｅＮＢに通知する。その後ｅＮＢは２５６ＱＡＭモードでの伝送を行なう。ここでＵＥは６４ＱＡＭモードでのみＣＱＩをｅＮＢに通知しているため、ｅＮＢが適切なＭＣＳを選択できる可能性は低い。ＰＤＳＣＨの伝送後、ＵＥはＣＱＩを送信するとき、２５６ＱＡＭモードでのＣＱＩの通知を行ない、次のＰＤＳＣＨの送信では、適切なＭＣＳで２５６ＱＡＭモードが動作することになる。このようにＲＲＣによる変調モード変更では、モード変更後の初回のＰＤＳＣＨの伝送において、適切なＭＣＳが選択されない可能性が高い。次に本実施形態で開示する、ＰＤＣＣＨ内のＣＳＩ要求領域を用いた変調モード変更について図１２のシーケンスチャートを用いて説明を行なう。予め、システムでＣＣ毎の変調モードの設定が初期設定、あるいはＲＲＣによって構成されている。従来と同様、あるＣＣで６４ＱＡＭモードにおいてＵＥがＣＱＩをｅＮＢに通知している。ｅＮＢは受信したＣＱＩによって２５６ＱＡＭモードに設定したほうがよいと判断した場合、ＰＤＣＣＨのＣＳＩ要求領域を用いて当該ＣＣで２５６ＱＡＭモードのＣＱＩのフィードバックをＵＥに対して要求する。この時ＰＤＣＣＨでは、アップリンクのデータ伝送、つまりＰＵＳＣＨ用のリソース割り当ても通知するＤＣＩフォーマットが用いられている。該ＰＤＣＣＨを受信したＵＥは、該ＣＣにおけるＣＱＩを算出した後、２５６ＱＡＭモードでのＣＱＩテーブルを用いてＣＱＩインデックスを算出し、所定のＣＣにおけるＰＵＳＣＨによって送信する。該ＰＵＳＣＨを受信したｅＮＢは、通知された２５６ＱＡＭモードでのＣＱＩを用いて、適切なＭＣＳを選択し、２５６ＱＡＭモードでのＰＤＳＣＨの伝送を行なう。このように、ＲＲＣによる変調モード変更では、モード変更後のＣＱＩがなく、適切なＭＣＳを選択できない場合があるが、ＰＤＣＣＨのＣＳＩ要求領域を用いた場合、ＵＥに対してＲＲＣシグナリングによる変調モード設定の通知とともに、ＤＣＩフォーマット中のＣＳＩ要求領域の通知を要求できるため、モード変更後に適切なＭＣＳによるＰＤＳＣＨ伝送が可能となる。さらに図１０で示すように、ＣＳＩ要求設定の構成（設定）によっては、ＣＣ毎に異なる変調モードによるＣＱＩのフィードバックを要求することができる。
【００４４】
本実施形態では、ＣＳＩ要求設定でＣＣ毎に変調モードの設定を行なう例について示したが、ＣＳＩ要求領域の値と関連付けて変調モードの設定を行なってもよい。例えば、‘１０’の場合は６４ＱＡＭモードとし、‘１１’の場合は２５６ＱＡＭモードとしてもよい。また、図１２に２５６ＱＡＭモードが設定されたＣＣでＣＳＩの送信要求を検出した場合に、ＵＥが２５６ＱＡＭモードでＣＱＩを通知し、その後ｅＮＢより２５６ＱＡＭモードで送信されたＰＤＳＣＨを受信する例を示した。別の例として、ＵＥがＲＲＣによりＣＣ毎の変調モードを受信後、２５６ＱＡＭモードのＡ−ＣＳＩの送信要求の前に、ｅＮＢがＰＤＳＣＨを送信する場合は６４ＱＡＭモードとして送信してもよい。つまり、２５６ＱＡＭモードのＡ−ＣＳＩの送信により変調モードの切り替えを行なってもよい。
【００４５】
また上述のように、ＭＣＳ決定部２０７は、ＲＲＣで通知される変調モード設定によって、参照するＭＣＳテーブルを決定することができるが、さらにＭＣＳ決定部２０７は、これとは異なる方法によって参照するＭＣＳテーブルを選択することができる。ｅＮＢはＲＲＣシグナリングによって、ＣＳＩ要求設定をＵＥに対して通知し、ＵＥから該ＣＳＩ要求設定が適用（構成）されたことを通知される。例えば、ＣＳＩ要求設定が図９のように設定されていた場合を考える。この時、ＰＤＣＣＨで送信されるＤＣＩフォーマットによって、ＣＳＩ要求領域として‘１０’を通知したとき、ＲＲＣによる変調モード設定によらず、ＤＣＩフォーマットによってＣＣ＃１において６４ＱＡＭモード、ＣＣ＃３において２５６ＱＡＭモードによるＭＣＳテーブルの選択を行なうことができる。このようにＭＣＳ決定部２０７は、制御情報生成部２０９から入力されるＤＣＩフォーマットと、ＲＲＣ生成部２１０が生成するＣＳＩ要求設定、および該ＣＳＩ要求設定がＵＥで適用されていることを抽出するＲＲＣ抽出部２０５によって、ＭＣＳインデックスを生成することができる。 
【００４６】
［第２の実施形態］
第１の実施形態では、ＰＤＣＣＨに含まれるＣＳＩ要求領域によって、ＲＲＣよりも高速に変調モードを変更する方法を開示した。本実施形態では、ＣＳＩ要求領域以外の方法を用いて、高速に変調モードを変更する方法を開示する。
【００４７】
ＬＴＥにおいて、ＰＵＣＣＨはＵＳＳ（UE-specific Search Space）と呼ばれる領域とＣＳＳ（Common Search Space）と呼ばれる領域があり、ｅＮＢはＵＳＳとＣＳＳにＵＥ宛の制御情報（割り当て情報やMCS等）を配置することができる。ＵＥはＵＳＳとＣＳＳの両方をチェックし、自局宛の制御情報の有無をチェックする。
【００４８】
そこで、ＵＳＳで通知された情報であるか、ＣＳＳで通知された情報であるかによって行なう。例えばＵＳＳとＣＳＳの変調モードに関して図１３に示すような関連付けをしておく。図１３は一例であり、ＵＳＳとＣＳＳの関係は逆であってもよい。例えばＵＳＳで通知されたＭＣＳインデックスは２５６ＱＡＭモード、ＣＳＳで通知されたＭＣＳインデックスは６４ＱＡＭモードと設定されているＵＥに対して、ｅＮＢは２５６ＱＡＭモードで伝送を行ないたい場合、ＵＳＳを用いて制御情報を通知する。ＵＥはＵＳＳに自局宛ての制御情報が含まれているため、通知されたＭＣＳインデックスと２５６ＱＡＭモードのＭＣＳテーブルを用いて、ＰＤＳＣＨのＭＣＳを判断する。またチャネル状態が急激に変化し、２５６ＱＡＭモードよりも６４ＱＡＭモードの方が高いスループット特性が得られるとｅＮＢが判断した場合、６４ＱＡＭモードへ変更を行なうため、ＣＳＳでの制御情報の通知を行なう。
【００４９】
ここで、常に２５６ＱＡＭを通知するためにＵＳＳを用いる必要があるとすると、ＵＳＳとＣＳＳの分量に偏りが生じる恐れがあるため、ＵＳＳおよびＣＳＳとの関連付けは、ＲＲＣシグナリングによって設定（構成）できてもよい。また変調モードの変更はチャネル状態が定常的な場合は必要がなく、ＵＥが高速移動している場合に必要となる。そこで、基本的にはＲＲＣによって変調モードの変更を行なうこととし、ｅＮＢがＲＲＣによって設定を通知してから、ＵＥが設定が完了したことをｅＮＢに通知するまでの過渡状態においてのみ上述のようなＵＳＳとＣＳＳでの制御情報の読み替えを行なってもよい。なお、ＣＣが複数存在する場合、変調モードの変更は、ＰＤＣＣＨが送信されたＣＣについてのみ行なわれてもよいし、全ＣＣで変調モードの変更を適用してもよい。
【００５０】
さらに、ＬＴＥ  Ｒｅｌ−１１では、ＬＴＥ  Ｒｅｌ−１０までのＰＤＣＣＨに加えて、ｅＰＤＣＣＨ（enhanced PDCCH）と呼ばれる制御チャネルが定義されている。ｅＰＤＣＣＨは、従来のＰＤＣＣＨの領域ではなく、ＰＤＳＣＨの領域の一部を用いて制御情報を通知することができる。そこで上記のように、ＤＣＩフォーマットがＵＳＳに配置されているかＣＳＳに配置されているかによって変調モードを変更するのではなく、ＤＣＩフォーマットがｅＰＤＣＣＨに配置されているか、ＰＤＣＣＨ（USSあるいはCSS）に配置されているかに基づいて変調モードを変更し、変更された変調モードに対応するＣＱＩテーブルによってＣＱＩインデックスをｅＮＢにフィードバックしてもよい。また、ＰＤＣＣＨのＣＳＳに配置されているか、ＰＤＣＣＨあるいはｅＰＤＣＣＨのＵＳＳに配置されているかによって変調モードを変更し、参照するＣＱＩテーブルもしくはＭＣＳテーブルの少なくても１つを選択してもよい。
【００５１】
このように、制御情報がＰＤＣＣＨのＵＳＳに配置されているかＣＳＳに配置されているかによって、ＵＥは変調モードを変更する。これにより、ＲＲＣによらずに変調モードを変更することができる。この結果、変調モードをチャネル状態の変化に追従させることができるため、スループットを高めることができる。
【００５２】
また、第１の実施形態で示したＤＣＩフォーマットが、ＰＤＣＣＨの中のＵＳＳとＣＳＳの領域の内、どちらに配置されたかによって異なる処理を適用してもよい。例えば６４ＱＡＭモードにおいて、ｅＮＢがＣＳＩレポートをＵＥに要求する場合、制御情報生成部２０９は、ＣＳＩ要求領域を含むＤＣＩフォーマットをＵＳＳに配置するようにＰＤＣＣＨを生成する。ＵＥは制御情報抽出部７０３において、ＵＳＳに配置された自局宛のＤＣＩフォーマットを復号する。ここで図１３のように、ＤＣＩフォーマットの配置と変調モードの関連付けがなされているとき、ＤＣＩフォーマットがＵＳＳに配置されている場合、ＣＱＩ決定部７０７は２５６ＱＡＭモードでのＣＱＩテーブル（例えば図４）を用いて、ｅＮＢに通知するＣＱＩインデックスを生成する。一方、ｅＮＢが６４ＱＡＭモードのＣＱＩをＵＥに要求する場合、制御情報生成部２０９は、ＣＳＩ要求領域を含むＤＣＩフォーマットＣＳＳに配置する。このようにｅＮＢは、制御情報生成部２０９において、ＤＣＩフォーマットをＵＳＳに配置するか、ＣＳＳに配置するかによって、異なる変調モードでのＣＱＩインデックスをＵＥに要求することができる。なお、ＵＳＳとＣＳＳの配置による変調モードの切り替えは上記に限定されない。例えば変調モードが２つに限定されている場合において、ＲＲＣシグナリングで設定された変調モードと異なるＣＱＩインデックスを要求する場合には、ＵＳＳにＤＣＩフォーマットを配置し、同一の変調モードによるＣＱＩインデックスを要求する場合にはＣＳＳにＤＣＩフォーマットを配置することによって、異なる変調モードでのＣＱＩインデックスを要求してもよい。
【００５３】
［第３の実施形態］
ｅＮＢからＵＥにＣＳＩ要求があった場合に、ＵＥがｅＮＢにフィードバックするＣＱＩインデックスに関して、複数のＣＱＩテーブルのいずれのＣＱＩテーブルに基づいてＣＱＩインデックスを生成するかについて、別の実施形態を示す。
【００５４】
ＣＳＩ要求はＤＣＩフォーマット０およびＤＣＩフォーマット４と呼ばれる、ＰＵＳＣＨのリソース割り当てを含むフォーマットで行なわれる。ＤＣＩフォーマット０はＰＵＳＣＨをシングルアンテナで送信するためのフォーマットであり、ＤＣＩフォーマット４はＰＵＳＣＨをマルチアンテナで送信するためのフォーマットである。ＤＣＩフォーマット０および４は、ＰＤＣＣＨによってｅＮＢからＵＥに通知される。
【００５５】
ここでマルチアンテナ伝送はシングルアンテナ伝送よりもＳＩＮＲを向上させることができる。つまり２５６ＱＡＭでの伝送を誤りなく行なえる確率が高い。そこで、ｅＮＢが制御情報生成部２０９においてＤＣＩフォーマット４を生成し、ＵＥの制御情報抽出部７０３においてＤＣＩフォーマット４を検出した場合、ＣＳＩ要求領域で非周期的ＣＳＩの送信要求が設定されているとき、ＣＱＩ決定部７０７では、２５６ＱＡＭモードのＣＱＩテーブルに基づいてＣＱＩインデックスを生成する。生成されたＣＱＩインデックスはＰＵＳＣＨ生成部７１０に入力され、ＵＬ送信部７１１、送信アンテナ７１２を介してｅＮＢに送信される。一方、シングルアンテナ伝送は、マルチアンテナ伝送と比較して低ＳＩＮＲとなる。つまり２５６ＱＡＭでは誤りが生じる確率が高い。ｅＮＢが制御情報生成部においてＤＣＩフォーマット０を生成し、ＵＥの制御情報抽出部７０３においてＤＣＩフォーマット０を検出した場合、ＣＳＩ要求領域で非周期的ＣＳＩの送信要求が設定されているとき、ＣＱＩ決定部７０７では、従来のＬＴＥシステムと同様、６４ＱＡＭモードのＣＱＩテーブルに基づいてＣＱＩインデックスを生成する。生成されたＣＱＩインデックスはＰＵＳＣＨ生成部７１０に入力され、ＵＬ送信部７１１、送信アンテナ７１２を介してｅＮＢに送信される。
【００５６】
このように、ｅＮＢがＵＥに通知するＤＣＩフォーマットの種類に基づいて、参照するＣＱＩテーブルを設定することで、ＲＲＣによる通知よりも高速に参照するＣＱＩテーブルを変更したＣＱＩをフィードバックすることができる。
【００５７】
なお、ＤＣＩフォーマット４およびＤＣＩフォーマット０には、２ビットのＣＳＩ要求領域を設定することが可能である。そこで第１の実施形態と同様に、ＤＣＩフォーマット０およびＤＣＩフォーマット４の２ビットのＣＳＩ要求領域にうち、ＲＲＣによって設定可能な値を利用して、各ＣＣおよび各ＣＳＩレポートの変調モードを変更してもよい。
【００５８】
また上記ではＤＣＩフォーマットが配置される領域（USSであるかCSSであるか）によって、参照するＣＱＩテーブルを変更したが、本実施形態はこれに限定されない。例えば、ＤＣＩフォーマットを受信したサブフレーム番号あるいは、ＣＱＩインデックスを通知するサブフレーム番号によって、参照するＣＱＩテーブルを設定することも本発明に含まれる。またサブフレーム番号に限定されず、ダイナミックＴＤＤにおけるアップリンク―ダウンリンク設定によって、参照するＣＱＩテーブルやＭＣＳテーブルを設定してもよい。
【００５９】
［第４の実施形態］
ＲＲＣによって変調モード変更を行なう場合、ＵＥからＲＲＣでの設定を完了したことが通知されるまでＰＤＳＣＨ等の通信を行なわないことが可能である。しかしながら、ＲＲＣはＰＵＳＣＨによって送信されるため、アップリンクのリソース割り当てが行なわれない限り、ＰＤＳＣＨを送信できないことになってしまう。ＵＥからの設定完了の通知を受信する前に、変更前の変調モード（あるいは変更後の変調モード）でＰＤＳＣＨを送信することは可能であるが、ＵＥが変調モードを変更していた場合（あるいは変更していなかった場合）、送受信で参照すべきＭＣＳテーブルに齟齬が生じてしまい、正しくデータを復調・復号することができない。そこで本実施形態ではＵＥからＲＲＣでの設定完了の通知を受ける前に、変調モード変更後のＭＣＳでの伝送を可能とする方法を開示する。
【００６０】
ＬＴＥで現在使用されているＣＱＩテーブルは図３に示すものであり、ＭＣＳテーブルは図５に示すものが使用されている。第1の実施形態と同様、２５６ＱＡＭモードのＣＱＩテーブルとして図４に示すものが使用された場合を考える。この時、図３と図４の表とで、ＣＱＩインデックス０と１は同じ周波数利用効率を示している。つまりインデックス０か１の場合、ｅＮＢとＵＥ間で異なる変調モードが選択されている場合においても、同じチャネル品質を示すことになる。本実施形態では、このように各変調モードにおいてインデックスが示すチャネル品質が同じになるインデックスを意図的に作成する。
【００６１】
図１４に本実施形態における２５６ＱＡＭモードでのＣＱＩインデックスを示す。太線で囲まれているインデックスは２５６ＱＡＭモードで追加されたものであり、それぞれ２５６ＱＡＭの伝送を要求するインデックスである。太線で囲まれていないインデックスは、６４ＱＡＭモード（図３）と同じＭＣＳでの伝送を要求するものとなっている。例えば、ＵＥが、ｅＮＢから２５６ＱＡＭモードへの変更を通知され、該ＵＥで設定を行なったものの、ＰＵＳＣＨが割り当てられないためにＲＲＣの設定を完了したことをｅＮＢに通知していない場合を考える。このとき周期的ＣＳＩ等によって、ＵＥからｅＮＢにＣＱＩを通知する必要があるが、ＵＥは２５６ＱＡＭモードが設定されているが、ｅＮＢは該ＵＥが未だ６４ＱＡＭモードのままであると判断することになる。この場合、通知したＣＱＩインデックスが異なるチャネル品質であると判断される。
【００６２】
そこでこのようなＲＲＣの設定完了の通知を行なう前のＣＱＩの通知については、図１４のＣＳＩテーブルの内、太線で囲まれていないＣＱＩインデックス（つまり０，１，３，５，７〜１２）を用いてＣＱＩの通知を行なう。例えば２５６ＱＡＭモードにおいて、周波数利用効率７程度の伝送を要求できる場合においても、ＣＱＩインデックス１２の周波数利用効率３．９０２３を要求する。これによってｅＮＢでは６４ＱＡＭモードのＣＱＩテーブルを参照しても適切なＭＣＳを選択することができるため、参照するＣＱＩテーブルが異なることによる伝送誤りを制限できる。
【００６３】
上述のようにＣＱＩテーブルのインデックスと情報を複数のテーブルで共通化しておくことに加え、ＭＣＳテーブルについても同様に共通化することによって、参照するＭＣＳテーブルが異なることによる伝送誤りをなくすことができる。なお２５６ＱＡＭモードにおいて図６では、２５６ＱＡＭの符号化率が昇順になるように配置しているが、これに限定されず、降順や２乗誤差が最小となるものなどどのようなものであってもよい。また複数のテーブルで異なる情報を示すインデックスについて、図１４では等間隔の３つと連続の３つを２５６ＱＡＭにしているが、これに限定されない。
【００６４】
上記の実施形態のすべて、あるいは一部を組み合わせたものも、本発明に含まれる。
【００６５】
本発明に関わる基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００６６】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局および端末の一部、または全部を典型的には集積回路であるＬＳＩとして実現してもよい。基地局および端末の各機能ブロックは個別にチップ化してもよいし、一部、または全部を集積してチップ化してもよい。また、集積回路化の手法はＬＳＩに限らず専用回路、または汎用プロセッサで実現してもよい。各機能ブロックを集積回路化した場合に、それらを制御する集積回路制御部が付加される。
【００６７】
また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【００６８】
また、本願発明は上述の実施形態に限定されるものではない。本願発明の端末は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【００６９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【００７０】
本発明は、無線基地局や無線端末や無線通信システムや無線通信方法に用いて好適である。
【００７１】
なお、本国際出願は、２０１３年１２月２７日に出願した日本国特許出願第２０１３−２７０７０３号に基づく優先権を主張するものであり、日本国特許出願第２０１３−２７０７０３号の全内容を本国際出願に援用する。
【符号の説明】
【００７２】
１０１・・・マクロ基地局装置、１０２・・・ピコ基地局装置、１０３・・・端末装置、２０１・・・受信アンテナ、２０２・・・ＵＬ受信部、２０３・・・制御情報抽出部、２０４・・・ＣＱＩ抽出部、２０５・・・ＲＲＣ抽出部、２０６・・・スケジューリング部、２０７・・・ＭＣＳ決定部、２０８・・・ＰＤＳＣＨ生成部、２０９・・・制御情報生成部、２１０・・・ＲＲＣ生成部、２１１・・・ＤＬ送信部、２１２・・・送信アンテナ、７００・・・受信アンテナ、７０１・・・ＤＬ受信部、７０２・・・参照信号抽出部、７０３・・・制御情報抽出部、７０４・・・ＰＤＳＣＨ復調部、７０５・・・ＲＲＣ抽出部、７０６・・・チャネル推定部、７０７・・・ＣＱＩ決定部、７０８・・・ＲＲＣ設定部、７０９・・・ＰＵＣＣＨ生成部、７１０・・・ＰＵＳＣＨ生成部、７１１・・・ＵＬ送信部、７１２・・・送信アンテナ
【図１】
2019047520.tif 000003
【図２】
2019047520.tif 000004
【図３】
2019047520.tif 000005
【図４】
2019047520.tif 000006
【図５】
2019047520.tif 000007
【図６】
2019047520.tif 000008
【図７】
2019047520.tif 000009
【図８】
2019047520.tif 000010
【図９】
2019047520.tif 000011
【図１０】
2019047520.tif 000012
【図１１】
2019047520.tif 000013
【図１２】
2019047520.tif 000014
【図１３】
2019047520.tif 000015
【図１４】
2019047520.tif 000016